(57)【特許請求の範囲】
【請求項１】
シートクッション側に取付けられる固定部材と、シートバック側に取付けられて前記固定部材に重合状態に対向する可動部材と、これら両部材を貫通して相対回転可能に支持する支持軸と、前記固定部材側に半径方向へ摺動可能に組付けられて前記支持軸の外周側に位置し前記可動部材が有するラチェットに噛合可能な４個のスライドポールと、これら各スライドポールと前記支持軸間に位置し同支持軸の回転操作により回転して前記各スライドポールをスライド動作させてこれら各スライドポールの前記ラチェットに対する噛合状態および噛合解除状態を選択的に構成する回転カムを備えるリクライニング装置であり、前記各スライドポールは径外方側に前記ラチェットに噛合する歯部を有するとともに径内方の幅方向側に長さの異なる短脚部と長脚部を有し、かつ、前記回転カムは外周縁の周方向の等間隔の４個所の部位に、前記各スライドポールと前記ラチェットとの噛合時に、前記各スライドポールの前記短脚部を受承する第１受承カム部と前記長脚部を受承する第２受承カム部を対とする受承カム部を有し、前記回転カムの各受承カム部は同回転カムの径外へ突出する山部と径内方へ落ち込む谷部とからなり、前記各スライドポールの各脚部を、前記山部で受承することにより前記スライドポールを前記ラチェットに噛合させてロックし、かつ、前記谷部で受承することにより前記スライドポールを前記ラチェットから開放してロック解除するリクライニング装置であって、前記支持軸の中心と両受承カム部の山部間の距離は前記第１受承カム部が前記第２受承カム部に比較して長く形成されており、前記各スライドポールは前記固定部材の内面側の十文字状の組付溝内に縦横方向に十文字状に配置されて、前記各スライドポールの前記短脚部が前記回転カムの前記各スライドポールの前記ラチェットに対する噛合状態を構成する回転方向側に位置し、かつ、前記各スライドポールの前記長脚部が前記回転カムの前記各スライドポールの前記ラチェットに対する噛合解除状態を構成する回転方向側に位置して、互いに隣り合うスライドポール同志の前記短脚部と前記長脚部が互いに隣り合っていることを特徴とするリクライニング装置。
【請求項２】
請求項１に記載のリクライニング装置において、前記スライドポールの前記ラチェットからの開放動作時に動作して同スライドポールを径内方へ引込む引込み手段を備えていることを特徴とするリクライニング装置。
【発明の詳細な説明】
【０００１】
【発明の属する技術分野】
本発明は、車両用シート等をリクライニングシートに構成するためのリクライニング装置に関する。
【０００２】
【従来の技術】
リクライニング装置の一形式として、特開２０００−７９０３２号公報に示されているように、シートクッション側に取付けられる固定部材と、シートバック側に取付けられて固定部材に重合状態に対向する可動部材と、これら両部材を貫通して相対回転可能に支持する支持軸と、固定部材側に半径方向へ摺動可能に組付けられて支持軸の外周側に位置し可動部材が有するラチェットに噛合可能なスライドポールと、スライドポールをスライド動作させてラチェットに対する噛合状態および噛合解除状態を選択的に構成する作動カムを備えた形式のリクライニング装置がある。
【０００３】
当該形式のリクライニング装置においては、スライドポールとラチェットの噛合状態を構成することにより可動部材の固定部材に対する回転を規制して、シートバックをシートクッションに対してロック状態とし、かつ、スライドポールとラチェットを非噛合状態をすることにより可動部材の固定部材に対する回転を許容して、シートバックのシートクッションに対するロック状態を解除するものである。
【０００４】
近年、車両用リクライニングシートにおいては、３点式のシートベルトが装備される等して、シートバックに対する前方への過大な負荷に十分に耐える構成が要請されている。当該要請に対処する一手段としては、スライドポールとラチェットの噛合強度を高める手段がある。スライドポールとラチェットの噛合強度を高める手段としては、スライドポールの歯部を長くしてラチェットとの噛合長さを長くする手段や、スライドポールとラチェットの噛合部の厚みを厚くする手段等がある。しかしながら、前者の手段ではリクライニング装置が径方向の拡大し、また、後者の手段ではリクライニング装置が厚み方向に拡大することになって、リクライニング装置が大型化するという問題がある。
【０００５】
当該要請に対処する他の手段としては、スライドポールとラチェットの噛合状態を安定な状態に構成するとともに安定な噛合状態を強固に保持する手段がある。上記した公報にて提案されているリクライニング装置は、かかる手段を採用しているものである。当該リクライニング装置では、作動カムとして、スライドポールに対して直交状に移動可能な作動カムを採用して、スライドポールを作動カムに２点で受承した状態でラチェットに噛合させ、作動カムを直交状に移動させることによりスライドポールのラチェットに対する噛合を解除する構成を採っている。かかる構成では、スライドポールを作動カムに２点で受承した状態でラチェットに噛合させることから、スライドポールとラチェットは安定な噛合状態を構成し、かつ、噛合状態のスライドポールは組付け側の固定部材の摺動部位の側壁部で周方向の動きを規制されることから、スライドポールとラチェットの安定な噛合状態が強固に保持される。
【０００６】
【発明が解決しようとする課題】
ところで、当該形式のリクライニング装置においては、使用するスライドポールの数を増やすことにより支持強度を増大させることができるため、スライドポールの数を増やすことは支持強度を増大するための有効手段である。しかしながら、上記公報にて提案されているリクライニング装置においては、スライドポールとラチェットの噛合状態を安定な状態に構成するとともに安定な噛合状態を強固に保持する手段を採ってはいるが、作動カムとしてスライドポールに対して直交状に移動可能な作動カムを採用しているため、スライドポールは作動カムに対して直交状態に配置し得るにすぎず、スライドポールを最高で２個採用し得るにすぎない。
【０００７】
従って、本発明の目的は、当該形式のリクライニング装置において、スライドポールを４個採用して各スライドポールを回転カムにて２点で受承する２点支持構造を成立させることによって、リクライニング装置の支持強度を一層高めることにあり、さらには、このような構成のリクライニング装置において、スライドポールのラチェットに対する噛合状態および噛合解除状態を円滑に構成し得るようにして、大きな支持強度を発揮し得る合理的な構成を提供することにある。
【０００８】
【課題を解決するための手段】
本発明はリクライニング装置に関し、本発明に係るリクライニング装置は、シートクッション側に取付けられる固定部材と、シートバック側に取付けられて前記固定部材に重合状態に対向する可動部材と、これら両部材を貫通して相対回転可能に支持する支持軸と、前記固定部材側に半径方向へ摺動可能に組付けられて前記支持軸の外周側に位置し前記可動部材が有するラチェットに噛合可能な４個のスライドポールと、これら各スライドポールと前記支持軸間に位置し同支持軸の回転操作により回転して前記各スライドポールをスライド動作させてこれら各スライドポールの前記ラチェットに対する噛合状態および噛合解除状態を選択的に構成する回転カムを備えているリクライニング装置である。
【０００９】
しかして、本発明に係るリクライニング装置においては、前記各スライドポールは径外方側に前記ラチェットに噛合する歯部を有するとともに径内方側の幅方向に長さの異なる短脚部と長脚部を有し、かつ、前記回転カムは外周縁の周方向の等間隔の４個所の部位に、前記各スライドポールと前記ラチェットとの噛合時に、前記各スライドポールの前記短脚部を受承する第１受承カム部と前記長脚部を受承する第２受承カム部を対とする受承カム部を有し、前記回転カムの各受承カム部は同回転カムの径外方へ突出する山部と径内方へ落ち込む谷部とからなり、前記各スライドポールの各脚部を、前記山部で受承することにより前記スライドポールを前記ラチェットに噛合させてロックし、かつ、前記谷部で受承することにより前記スライドポールを前記ラチェットから開放してロック解除するリクライニング装置であり、前記支持軸の中心と両受承カム部の山部間の距離は前記第１受承カム部が前記第２受承カム部に比較して長く形成されており、前記各スライドポールは前記固定部材の内面側の十文字状の組付溝内に縦横方向に十文字状に配置されて、前記各スライドポールの前記短脚部が前記回転カムの前記各スライドポールの前記ラチェットに対する噛合状態を構成する回転方向側に位置し、かつ、前記各スライドポールの前記長脚部が前記回転カムの前記各スライドポールの前記ラチェットに対する噛合解除状態を構成する回転方向側に位置して、互いに隣り合うスライドポール同志の前記短脚部と前記長脚部が互いに隣り合っていることを特徴とするものである。
【００１０】
本発明に係るリクライニング装置においては、前記スライドポールの前記ラチェットからの開放動作時に動作して同スライドポールを径内方へ引込む引込み手段を備える構成とすることができる。
【００１３】
【発明の作用・効果】
本発明に係るリクライニング装置は、スライドポールとラチェットの噛合状態を安定な状態に構成するとともに安定な噛合状態を強固に保持する形式のリクライニング装置において、作動カムとして、支持軸の回転操作にて回転してスライドポールをスライド動作させる回転カムを採用して、スライドポールを回転カムの外周側に配置することができる構成としている。このため、本発明に係るリクライニング装置においては、回転カムの外周側に３個以上の複数個のスライドポールを配置することができて、従来のこの種形式のリクライニング装置に比較して支持強度を大幅に増大させることができる。
【００１４】
本発明に係るリクライニング装置においては、スライドポールのラチェットからの開放動作時に動作してスライドポールを径内方へ引込む引込み手段を備える構成とすることができる。当該構成を採れば、スライドポールのラチェットからの開放動作時には、スライドポールを引込み手段の作用にて径内方へ引込み、スライドポールのラチェットからの開放と同期して、スライドポールとラチェットの噛合状態を円滑に解除させることができる。
【００１５】
本発明に係るリクライニング装置においては、スライドポールの使用個数を増せば支持強度を大幅の増大させることができるが、回転カムにおいては、使用するスライドポールの数に応じてその両脚部を受承する受承カム部の数を増やす必要があり、受承カム部はその数の増大に応じて、隣り合うスライドポールの両脚部の受承カム部が周方向に互いに近接することになる。スライドポールをラチェットから開放させるには、回転カムを回転して、スライドポールの両脚部を受承カム部の山部から谷部に移行させることにより行うが、回転カムにおいて、隣り合う受承カム部が互いに周方向に近接している場合には、一旦受承カム部の山部から谷部に移行したスライドポールの両脚部が、回転カムのわずかな回転によって、隣り合うスライドポールの両脚部の受承カム部の山部に乗り上げて、スライドポールをラチェットから開放し得ない状況が起こり得る。
【００１６】
これに対処すべく、本発明に係るリクライニング装置においては、スライドポールの両脚部を互いに長短異なる長さに形成するとともに、回転カムの両受承カム部の山谷部を互いに異なる大きさに形成する構成を採ることができる。この場合、スライドポールの各脚部を、回転カムのスライドポールのラチェットに対する噛合状態を構成する回転方向側を短く、かつ、回転カムのスライドポールのラチェットに対する噛合解除状態を構成する回転方向側を長く形成するようにすることが好ましい。
【００１７】
かかる構成によれば、スライドポールをラチェットから開放させる際には、スライドポールの短い脚部を、隣り合うスライドポールの長い脚部を受承する低い山部側に移行させ、かつ、スライドポールの短い脚部を受承する高い山部側に移行させて、スライドポールの両脚部の山部への乗り上げを規制することができる。これにより、３個以上の複数個のスライドポールを採用した場合の、スライドポールのラチェットからの開放状態を構成する際の悪影響を解消することができる。
【００１８】
本発明に係るリクライニング装置においては、４個のスライドポールを採用して、これら各スライドポールを固定部材の内面側の十文字状の組付溝内に縦横方向に十文字状に配置する構成とする。かかる構成によれば、各スライドポールおよび回転カムの構成、配置関係に起因して、４個のスライドポールを回転カムにて２点で受承する２点支持構造を成立させることができ、これにより、リクライニング装置の支持強度を著しく増大させることができるとともに、各スライドポールの隣合う同士のスライドポールの短脚部と長脚部が互いに隣合う配置状態になっているため、各スライドポールとラチェットの噛合状態および噛合解除状態を円滑に構成することができて、リクライニング装置のロック状態およびアンロック状態を円滑かつ応答性よく構成することができる。
【００１９】
【発明の実施の形態】
以下、本発明を図面に基づいて説明する。図１は本発明の一例に係るリクライニング装置の縦断面図、図２は当該リクライニング装置を分解した斜視図、図３は当該リクライニング装置における一部の構成部材を取外した状態の正面図である。当該リクライニング装置は、車両用リクライニングシートを構成するもので、本発明の固定部材である固定円盤１１、本発明の可動部材である可動円盤１２、４個のスライドポール１３、支持軸１４ａおよび操作レバー１４ｂ、回転カム１５、操作カム１６、作動プレート１７、スパイラルスプリング１８、および、セットプレート１９にて構成されている。
【００２０】
固定円盤１１は、車両用シートのシートクッション側に取付けられるものであり、また、可動円盤１２は、車両用シートのシートバック側に取付けられるものであって、固定円盤１１と可動円盤１２は互いに対向して重合されていて、可動円盤１２側から嵌合されたセットプレート１９の外周縁部をカシメることにより、一体的に結合されている。各スライドポール１３、回転カム１５、操作カム１６、作動プレート１７およびスパイラルスプリング１８は、後述するように、固定円盤１１と可動円盤１２が形成する収容空間部に収容された状態で、これらの構成部材の中央部を挿通する支持軸１４ａに直接的に、または構成部材を介して間接的に支持されている。支持軸１４ａの外端部には、操作レバー１４ｂが取付けられている。
【００２１】
当該リクライニング装置を構成する固定円盤１１は、図２および図４に示すように、円盤本体１１ａの内側に段付きの円形凹所１１ｂを備え、円形凹所１１ｂ内には、十字状に交差して縦横に延びる組付溝１１ｃが形成されている。組付溝１１ｃは、円形凹所１１ｂよりも一段と深く形成されていて、組付溝１１ｃの各交差部の４カ所の外側角部が略三角形状を呈する受承壁部１１ｄとなっている。各受承壁部１１ｄは、円盤本体１１ａと同一の厚み寸法となっている。なお、組付溝１１ｃの中央部には、貫通孔１１ｅが形成されている。
【００２２】
可動円盤１２は、図２および図５に示すように、円盤本体１２ａの内側に段付きの円形凹所１２ｂを備え、円形凹所１２ｂの内周面がラチェット１２ｃに形成されている。円盤本体１２ａは、固定円盤１１の内面側に重合された際には、その円形凹所１１ｂに丁度嵌合する寸法に形成されている。なお、円形凹所１２ｂの中央部には、固定円盤１１の貫通孔１１ｅに対向する貫通孔１２ｄが形成されている。
【００２３】
各スライドポール１３は全て同一形状のもので、図２および図６に示すように、門形形状のポール本体１３ａの頂部（組付けた状態では径外方側）に可動円盤１２のラチェット１２ｃに噛合可能な歯部１３ｂを備えているとともに、ポール本体１３ａの頂部とは反対側（組付けた状態では径内方側）に左右一対の脚部１３ｃ，１３ｄを備えている。また、ポール本体１３ａにおける頂部とは反対側端部の中央部には、組付けた状態において、後述する作動プレート１７側へ突出する半円柱状のカムピン１３ｅが形成されている。脚部１３ｃ，１３ｄは、互いに長さを異にするもので、図６の図示左側の第１脚部１１ｃは短い所定長さに形成され、また、同図の図示右側の第２脚部１１ｄは長い所定長さに形成されている。各脚部１３ｃ，１３ｄの先端面は、内側内方へ延びる傾斜状を呈している。
【００２４】
回転カム１５は略円形状のプレートであって、図２および図７に示すように、カム本体１５ａの外周縁には、第１受承カム部１５ｂと第２受承カム部１５ｃを一組とするカム部を、周方向に同一間隔を保持して４組備えている。第１，第２受承カム部１５ｂ，１５ｃは、山部１５ｂ1，１５ｃ1と谷部１５ｂ2，１５ｃ2とからなるもので、第１受承カム部１５ｂは第２受承カム部１５ｃより径方向に大きく形成されている。カム本体１５ａの中央部には、後述する操作カム１６と略同一形状で同操作カム１６が嵌合可能な嵌合孔１５ｄが形成されているとともに、カム本体１５ａの回転中心を中心とする円周上に一定の間隔を保持して４個の係合突起部１５ｅが形成されている。各係合突起部１５ｅは、組付けた状態において、後述する作動プレート１７側へ突出する。
【００２５】
操作カム１６は、図２および図８に示すように、円筒状本体１６ａに外方へ突出する係合アーム部１６ｂを備えているもので、回転カム１５の嵌合孔１５ｄと略同一形状を呈している。また、円筒状本体１６ａの内孔はスプライン状に形成されている。
【００２６】
作動プレート１７は円形状を呈するもので、図２および図９に示すように、プレート本体１７ａの中央部には、円形状の貫通孔１７ｂと、貫通孔１７ｂの内周縁に周方向に一定間隔を保持して位置する４個の係合孔１７ｃが形成されている。また、プレート本体１７ａの外周側部には、周方向に一定間隔を保持して位置する４個のカム溝１７ｄが形成されている。各カム溝１７ｄは、一端側から内径方向へ緩やかに延びて他端に至る略円弧状に形成されている。
【００２７】
スパイラルスプリング１８は所定の巻き数を有するもので、図２に示すように、内端部１８ａは方形状に巻回されており、かつ、外端部１８ｂは外方へ突出している。内端部１８ａは、操作カム１６の円筒状本体１６ａに丁度外嵌できる寸法に形成され、かつ、外端部１８ｂは固定円盤１１の掛止溝１１ｆの一方に掛止し得る寸法に形成されている。
【００２８】
セットプレート１９は、図２に示すように、環状のプレート本体１９ａの外周縁部に筒部１９ｂを備えているもので、固定円盤１１と可動円盤１２を互いに重合された状態において、可動円盤１２側から固定円盤１１の外周側に嵌合し得る寸法に形成されている。セットプレート１９は、可動円盤１２および固定円盤１１に外嵌した状態で、図１に示すように、筒部１９ｂの先端部をカシメて、固定円盤１１および可動円盤１２を互いに結合するようになっている。
【００２９】
これらの各構成部材は、例えば下記の順序で組付けられて、図１に示す構造のリクライニング装置を構成する。すなわち、固定円盤１１の貫通孔１１ｅに支持軸１４を貫通し、貫通した支持軸１４上に、スパイラルスプリング１８、操作カム１６、回転カム１５、各スライドポール１３、作動プレート１７、可動円盤１２をこの順序で組付け、次いで、セットプレート１９を可動円盤１２側から固定円盤１１の外周に嵌合し、最後に、セットプレート１９の筒部１９ｂの先端部を図１に示すようにカシメる。これにより、リクライニング装置が完成する。
【００３０】
この組付け状態においては、スパイラルスプリング１８の外端部１８ｂは固定円盤１１の掛止溝１１ｆの一方に掛止されていて、操作カム１６の筒状本体１６ａはスパイラルスプリング１８の内端部１８ａ内に挿入され、回転カム１５は操作カム１６に外嵌していて、操作カム１６の係合アーム１６ｂは回転カム１６の嵌合孔１５ｄに嵌合している。また、各スライドポール１３は固定円盤１１の組付溝１１ｃ内に半径方向へ摺動可能に配置されて、回転カム１５の外周側に十文字状に位置している。スライドポール１３において、第１脚部１３ｃが回転カム１５の第１受承カム部１５ｂの山部１５ｂ1にて受承され、かつ、第２脚部１３ｄが回転カム１５の第２受承カム部１５ｃの山部１５ｃ1にて受承されている。各スライドポール１３は、この状態では、その歯部１３ｂにて可動円盤１２のラチェット１２ｃの対向する各部位に噛合している。
【００３１】
また、この組付け状態においては、作動プレート１７は、各スライドポール１３を挟んで回転カム１５に対向して位置し、回転カム１５の各係合突起部１５ｅが作動プレート１７の各係合孔１７ｃに係合している。これにより、作動プレート１７は回転カム１５と周方向に連結し、回転カム１５と一体回転可能である。また、作動プレート１７は各スライドポール１３の一側に位置し、各スライドポール１３のカムピン１３ｅが作動プレート１７の各カム溝１７ｄに臨んでいる。これにより、各スライドポール１３のカムピン１３ｅと作動プレート１７の各カム溝１７ｄは、各スライドポール１３をスライド動作させるカム機構を構成している。
【００３２】
図３は、当該リクライニング装置におけるこれらの構成部材の組付け状態を示すもので、固定円盤１１、支持軸１４ａ、およびスパイラルスプリング１８を取外した状態の正面図である。なお、固定円盤１１については、便宜上、２点鎖線で表示している。
【００３３】
このように構成されている当該リクライニング装置においては、非操作状態では、各スライドポール１３の各脚部１３ｃ，１３ｄは、回転カム１５の各受承カム部１５ｂ，１５ｃの山部１５ｂ1，１５ｃ1にて受承されていて、可動円盤１２のラチェット１２ｃの対向する部位に噛合している。回転カム１５には、操作カム１６を介してスパイラルスプリング１８のバネ力が作用して、回転カム１５はこの回転位置に保持され、この結果、各スライドポール１３とラチェット１２ｃの噛合状態を保持している。図３には、この噛合状態が示されている。各スライドポール１３とラチェット１２ｃの噛合状態は、当該リクライニング装置をロック状態に構成し、シートバックのシートクッションに対する前後方向の回動を規制している。
【００３４】
当該リクライニング装置において、このロック状態を解除して、シートバックのシートクッションに対する前後方向の回動規制を解除するには、支持軸１４ａと一体の操作レバー１４ｂを回転操作する。これにより、支持軸１４ａが所定量回転して、操作カム１６をスパイラルスプリング１８に抗して図３の図示時計方向へ所定量回転させて、回転カム１５を時計方向へ所定量（θ）回転させるとともに、作動プレート１７を同方向へ所定量（θ）回転させる。これにより、各スライドポール１３の両脚部１３ｃ，１３ｄは各受承カム部１５ｂ，１５ｃにおける山部１５ｂ1，１５ｃ1から谷部１５ｂ2，１５ｃ2へと移行して、各スライドポール１３は可動円盤１２のラチェット１２ｃから開放される。この間、作動プレート１７の回転により、各スライドポール１３のカムピン１３ｅが作動プレート１７の各カム溝１７ｄに係合して、各スライドポール１３は支持軸１４ａ側へ引き込まれて、可動円盤１２のラチェット１２ｃとの噛合状態を確実に解除される。各スライドポール１３とラチェット１２ｃの非噛合状態は、当該リクライニング装置をアンロック状態に構成し、シートバックのシートクッションに対する前後方向の回動規制を解除して、シートバックのシートクッションに対する前後方向の回動を許容する。
【００３５】
当該リクライニング装置のアンロック状態は、操作レバー１４ｂの回転操作状態を継続中確保され、操作レバー１４ｂに対する回転操作状態を解除することにより解除されて、当該リクライニング装置はロック状態に構成される。すなわち、操作レバー１４ｂに対する回転操作状態を解除すると、支持軸１４ａはスパイラルスプリング１８の復帰作用にて所定量回転して復帰し、これに応じて、操作カム１６、回転カム１５、作動プレート１７が図３の図示反時計方向へ所定量（θ）回転して復帰する。これにより、各スライドポール１３の両脚部１３ｃ，１３ｄは各受承カム部１５ｂ，１５ｃにおける谷部１５ｂ2，１５ｃ2から山部１５ｂ1，１５ｃ1へと移行するとともに、作動プレート１７の各カム溝１７ｄと各スライドポール１３のカムピン１３ｅとの係合が解除され、各スライドポール１３は可動円盤１２のラチェット１２ｃに対向する部位に噛合し、当該リクライニング装置をロック状態に構成する。
【００３６】
このように、当該リクライニング装置においては、回転カム１５の両受承カム部１５ｂ，１５ｃにて受承されて２点で支持されるスライドポール１３を使用して、スライドポール１３とラチェット１２ｃの噛合状態を安定な状態に構成している。また、スライドポール１３がラチェット１２ｃとの噛合時に、可動円盤１２側から回転作用力が付与された場合には、スライドポール１３は固定円盤１１の受承壁部１１ｄの側壁面にて受承されるように構成している。当該リクライニング装置は、総合的には、スライドポール１３とラチェット１２ｃの安定な噛合状態を強固に保持するリクライニング装置を構成している。
【００３７】
当該リクライニング装置は、かかる構成のリクライニング装置を構成するのに、特に、スライドポール１３をスライド動作すべく機能する作動カムとして回転カム１５を採用して、その外周側に複数のスライドポール１３を配設可能として、３個以上の複数のスライドポール１３を使用し得る構成としている。当該リクライニング装置にいては、特に４個のスライドポール１３を使用して、従来のこの種形式のリクライニング装置に比較して支持強度を大幅に増大させている。
【００３８】
また、当該リクライニング装置においては、スライドポール１３のカムピン１３ｅと作動プレート１７のカム溝１７ｄとによりカム機構を構成して、このカム機構を、スライドポール１３のラチェット１２ｃからの開放動作と連動して動作させて、スライドポール１３を径内方へ引込むようにしている。これにより、当該リクライニング装置においては、スライドポール１３のラチェット１２ｃからの開放動作時にスライドポール１３を径内方へ引込み、スライドポール１３のラチェット１２ｃからの開放と同期して、スライドポール１３とラチェット１２ｃの噛合状態を円滑に解除させている。
【００３９】
また、当該リクライニング装置においては、スライドポール１３の使用個数を増して支持強度を大幅に増大させているが、これに応じて、回転カム１５のスライドポール１３の両脚部１３ｃ，１３ｄに対する両受承カム部１５ｂ，１５ｃの数を増加させている。このため、受承カム部１５ｂ，１５ｃは、隣り合うスライドポール１３の両脚部１３ｃ，１３ｄの受承カム部１５ｂ，１５ｃとは、周方向に近接して位置している。
【００４０】
スライドポール１３をラチェット１２ｃから開放させるには、上述しているよに、回転カム１５を回転してスライドポール１３の両脚部１３ｃ，１３ｄを受承カム部１５ｂ，１５ｃの山部１５ｂ1，１５ｃ1から谷部１５ｂ2，１５ｃ2に移行させることにより行うが、回転カム１５において受承カム部１５ｂ，１５ｃが隣り合う受承カム部１５ｂ，１５ｃと周方向に互いに近接している場合には、一旦受承カム部１５ｂ，１５ｃの山部１５ｂ1，１５ｃ1から谷部１５ｂ2，１５ｃ2に移行したスライドポール１３の両脚部１３ｃ，１３ｄが、回転カム１５のわずかな回転によって、隣り合うスライドポール１３の両脚部１３ｃ，１３ｄの受承カム部１５ｂ，１５ｃの山部１５ｂ1，１５ｃ1に乗り上げて、スライドポール１３をラチェット１２ｃから開放し得ないおそれがある。
【００４１】
これに対処すべく、当該リクライニング装置においては、スライドポール１３の第１脚部１３ｃを短くかつ第２脚部１３ｄを長く形成し、これに対応して、回転カム１５の第１受承カム部１５ｂの山部１５ｂ1および谷部１５ｂ2を大きく、かつ、第２受承カム部１５ｃの山部１５ｃ1および谷部１５ｃ2を小さく形成している。かかる構成によれば、スライドポール１３をラチェット１２ｃから開放させる際には、スライドポール１３の短い第１脚部１３ｃを、隣り合うスライドポール１３の長い第２脚部１３ｄを受承する低い山部１５ｃ1側に移行させて、スライドポール１３の短い第１脚部１３ｃの低い山部１５ｃ1への乗り上げを規制し、かつ、スライドポール１３の長い第２脚部１３ｄの高い山部１５ｂ1への乗り上げを規制することができ、スライドポール１３のラチェット１２ｃからの開放状態の構成に対する影響を解消することができる。
【００４２】
また、当該リクライニング装置においては、４個のスライドポール１３を採用して、これら各スライドポール１３を固定円盤１１の組付溝１１ｃに縦横方向に十文字状に配置する構成を採っている。かかる構成によれば、各スライドポール１３の配置関係、スライドポール１３とラチェット１２ｃの噛合部長さ、各スライドポール１３の固定円盤１１の受承壁部１１ｄに対する受承関係、回転カム１５における各スライドポール１３の各脚部１３ｃ，１３ｄを受承する受承カム部１５ｂ，１５ｃの配置関係を全て合理的にすることができる。これにより、当該リクライニング装置の支持強度を著しく増大させることができるとともに、各スライドポール１３とラチェット１２ｃの噛合状態および噛合解除状態を円滑に形成することができて、リクライニング装置のロック状態およびアンロック状態の動作を円滑かつ応答性よく行うことができる。
【図面の簡単な説明】
【図１】本発明の一例に係るリクライニング装置の縦断面図である。
【図２】同リクライニング装置を分解して各構成部材の配置関係示す斜視図である。
【図３】同リクライニング装置における一部の構成部材を取除いた状態の正面図である。
【図４】同リクライニング装置を構成する固定円盤の内面側の正面図である。
【図５】同リクライニング装置を構成する可動円盤の内面側の正面図である。
【図６】同リクライニング装置を構成するスライドポールの正面図である。
【図７】同リクライニング装置を構成する回転カムの正面図である。
【図８】同リクライニング装置を構成する操作カムの正面図である。
【図９】同リクライニング装置を構成する作動プレートの正面図である。
【符号の説明】
１１…固定円盤、１１ａ…円盤本体、１１ｂ…円形凹所、１１ｃ…組付溝、１１ｄ…受承壁部、１１ｅ…貫通孔、１１ｆ…掛止部、１２…可動円盤、１２ａ…円盤本体、１２ｂ…円形凹所、１２ｃ…ラチェット、１２ｄ…貫通孔、１３…スライドポール、１３ａ…ポール本体、１３ｂ…歯部、１３ｃ…第１脚部、１３ｄ…第２脚部、１３ｅ…カムピン、１４ａ…支持軸、１４ｂ…操作レバー、１５…回転カム、１５ａ…カム本体、１５ｂ…第１受承カム部、１５ｃ…第２受承カム部、１５ｂ1，１５ｃ1…山部、１５ｂ2，１５ｃ2…谷部、１５ｄ…嵌合孔、１５ｅ…係合突起部、１６…操作カム、１６ａ…円筒状本体、１６ｂ…係合アーム部、１７…作動プレート、１７ａ…プレート本体、１７ｂ…貫通孔、１７ｃ…係合孔、１７ｄ…カム溝、１８…スパイラルスプリング、１８ａ…内端部、１８ｂ…外端部、１９…セットプレート、１９ａ…プレート本体、１９ｂ…筒部。
【図１】
0003804422.tif 000002
【図２】
0003804422.tif 000003
【図３】
0003804422.tif 000004
【図４】
0003804422.tif 000005
【図５】
0003804422.tif 000006
【図６】
0003804422.tif 000007
【図７】
0003804422.tif 000008
【図８】
0003804422.tif 000009
【図９】
0003804422.tif 000010